(57)【特許請求の範囲】
【請求項１】
遊技領域内に障害釘を植設してなる積層合板製の使用済み遊技盤を固定し、該遊技盤の縁部木口面に対して盤面に並行する方向に沿って切断刃を切込み侵入させて該遊技盤を表面側板部と背面側板部とに厚さ方向に剥がすように切り分け、該切り分けによって前記障害釘を表面側板部に残す一方、該切り分けによる背面側板部の剥がしに伴わせて障害釘の打込み軸部を露出させ、これによって前記表面側板部に残る障害釘の打込保持力を減少喪失させて脱落乃至外すようにしたことを特徴とする使用済み遊技盤からの障害釘の抜取り方法。
【請求項２】
前記切断刃により遊技盤の背面側板部と切り分けた表面側板部の縁部木口面に対して再度切断刃を切り込み侵入させて該表面側板部を厚さ方向に剥がすように切り分けることにより障害釘の打ち込み軸部の露出域を拡大せしめ、打込み保持力を削減することを特徴とした請求項１に記載の使用済み遊技盤からの障害釘の抜取り方法。
【請求項３】
前記切断刃は遊技盤の相対向する２縁部木口面から切り込み侵入させて厚さ方向に剥がすように切り分けることを特徴とした請求項１又は２に記載の使用済み遊技盤からの障害釘の抜取り方法。
【請求項４】
前記切断刃は遊技盤の縁部木口面から障害釘の植設領域を避けた非植設領域に向けて刃先を侵入させ切込むことによって前記遊技盤を厚さ方向に剥がすように切り分けることを特徴とした請求項１乃至３のいずれかに記載の使用済み遊技盤からの障害釘の抜取り方法。
【請求項５】
遊技領域内に障害釘を植設してなる積層合板製の使用済み遊技盤を固定し、該遊技盤の縁部木口面に対して盤面に並行する方向に沿って切断刃を切込み侵入させて該遊技盤を表面側板部と背面側板部とに厚さ方向に剥がすように切り分け、該切り分けによって前記障害釘を表面側板部に残す一方、該切り分けによる背面側板部の剥がしに伴わせて障害釘の打込み軸部を露出させ、これによって前記表面側板部に残る障害釘の打込保持力を減少喪失させて脱落乃至外すことにより前記遊技盤から障害釘を抜取るために使用される遊技盤の切り分け装置であって、前記切り分け装置は前記遊技盤を定位置に支持固定するための載置台と、前記遊技盤を前記載置台の定位置に固定するための固定手段と、該固定手段により固定される前記遊技盤の縁部木口面に対して盤面に沿って並行に切断刃の刃先を切込み侵入させ前記遊技盤を表面側板部と裏面側板部に引き剥がし状に切り分けるための切断手段とを備えてなることを特徴とした使用済み遊技盤の切り分け装置。
【請求項６】
前記固定手段は相対向する一対の狭持部材を有し、該両狭持部材を遊技盤の対向する２縁部木口面に当接狭持して載置台の定位置に固定することを特徴とした請求項５に記載の使用済み遊技盤の切り分け装置。
【請求項７】
前記切断手段は一対の切断刃を相対向して有し、該切断刃を狭持部材が当接しない遊技盤の相対向する２縁部木口面にそれぞれ盤面に並行する方向から切り込ませて前記遊技盤を表面側板部と裏面側板部とに厚さ方向に剥がすように切り分けることを特徴とした請求項５又は６に記載の使用済み遊技盤の切り分け装置。
【請求項８】
前記切断刃は刃先を遊技盤の木口面の長さ方向に揃えると共に、該刃先の中央部分に欠落部を設け２又形に形成して遊技盤を切り分ける際に障害釘の植設領域に前記刃先の侵入を回避してなることを特徴とした請求項５乃至７のいずれかに記載の使用済み遊技盤の切り分け装置。
【発明の詳細な説明】
【０００１】
【発明の属する技術分野】
本発明はパチンコ機の遊技盤に植設した障害釘を抜取るための抜取り方法と、この抜取りに使用する遊技盤を切り分けるための装置に関する。
【０００２】
【従来の技術】
周知のようにパチンコ機の遊技盤には通常２００数十本の障害釘が植設されている。この遊技盤が使用済みとなり廃棄処分する場合、或いは資源回収のためリサイクル処理する場合に問題となるのが遊技領域内に集中して植設される障害釘の抜取りである。
遊技盤には前述にように２００本を超える障害釘が打込まれるが、これらの釘は安定するために深く打込まれており、更に抜止めのため打込みの軸部分には通常螺旋溝が形成されていて一層引き抜きが困難なものになっている。
【０００３】
従って、１本づつの引き抜きの場合はこの様に抜け止めが施されていても差ほど問題とならないが、効率を挙げるため多数本を一度に引き抜き処理しようとするとその負担は極めて大きなものとなり簡単なものではなくなる。
この様なことからその効率的な抜き取り方法乃至装置の提案が求められているが、現在これに充分応じられる抜き取る方法乃至装置の提供がなく、従って使用済み遊技盤の廃棄処分にあたり、またリサイクル処理において大きな障害となっている。
【０００４】
【発明が解決しようとする課題】
本発明は上述の実情に鑑み、使用済となった遊技盤から効率的に障害釘を抜き取る方法と、この方法を実施するための装置を提供しようとするものである。
遊技盤に植設される障害釘は通常前述したように抜止めのため軸部に螺旋溝が形成しており、引き抜きに当たっては大きな抵抗を発揮する一方、遊技盤の中でも遊技領域の特定の範囲に集中的に植設され、密生した状態にあるため抜き取ること自体が困難な状況にある。
【０００５】
本発明は特にこの様な状況に鑑み、障害釘の１本づつの抜き取りではなく、この障害釘が植設されている遊技盤に着目して、遊技盤を分解することによって障害釘の植設状態を壊し、遊技盤からの障害釘の抜き取りを図る一方、この方法を実施するのに有効な遊技盤の切り分け装置を提供しようとするものである。
【０００６】
【課題を解決するための手段】
即ち、本発明は上記目的を達成するためなされたもので、その特徴とするところは、遊技領域内に障害釘を植設してなる遊技盤を固定し、縁部木口面に盤面に並行する方向から切断刃を切込んで前記遊技盤を表面側と背面側の板部に切り分け、表面側板部に残る前記障害釘の打込み軸部を露出させ、これにより障害釘の打込保持力を減少喪失させて脱落可能にしてなることを特徴とした障害釘の抜取り方法を提供しようとするものである。
【０００７】
また本発明は、前記切断刃により分けた表面側板部の縁部木口面に再度切断刃を切込み、該表面側板部を切り分けて障害釘の打込み軸部の露出域を拡大し打込保持力を更に削減することを特徴とした障害釘の抜取り方法を提供しようとするものである。
【０００８】
また本発明は、前記切断刃は遊技盤の対向する２縁部木口面から切り込み切り分けることを特徴とした障害釘の抜取り方法を提供することにある。
【０００９】
また本発明は、前記切断刃は遊技盤の縁部木口面から障害釘の植設領域を避けた非植設領域に向けて刃先を切込み前記遊技盤を切り分けることを特徴とした障害釘の抜取り方法を提供することにある。
【００１０】
更にまた本発明は、遊技盤を定位置に支持する載置台と、前記遊技盤を前記載置台の定位置に固定する固定手段と、前記固定手段により固定される前記遊技盤の縁部木口面に盤面に並行に切断刃を切り込ませて前記遊技盤を表面側板部と裏面側板部に切り分ける切断手段とを備えてなる遊技盤の切り分け装置を提供することにある。
【００１１】
また本発明は、前記固定手段は相対向する一対の挟持部材を有し、該両挟持部材を遊技盤の対向する２縁部木口面に当接し圧締挟持して載置台の定位置に固定することを特徴とした遊技盤の切り分け装置を提供することにある。
【００１２】
また本発明は、前記切断手段は一対の切断刃を相対向して有し、該切断刃を挟持部材が当接しない遊技盤の相対向する２縁部木口面にそれぞれ盤面に並行する方向から切り込んで前記遊技盤を表面側板部と裏面側板部に切り分けることを特徴とした遊技盤の切り分け装置を提供することにある。
【００１３】
また本発明は、前記切断刃は刃先を遊技盤の縁部木口面の長さ方向に揃えると共に、該刃先の中央部分に欠落部を設けて２又形に形成し、前記遊技盤を切り分ける際に障害釘の植設領域に前記刃先の侵入を回避してなることを特徴とした遊技盤の切り分け装置を提供することにある。
次に、本発明を図示する実施例に基づいて具体的に説明し、その特徴とするところを明らかにする。
【００１４】
【発明の実施の形態】
図面は本発明の一実施例を示したものである。図１は本発明方法を実施するための使用済み遊技盤の切り分け装置の一部を欠截した要部の概略説明斜視図であり、図２は遊技盤と、この遊技盤を固定する手段及び遊技盤を切り分ける切断手段の位置関係を説明する概略説明斜視図である。
【００１５】
図面において、１は使用済みとなった遊技盤を示す。この遊技盤１は本体を積層合板とするもので、ここでは一般に使用されている略１．５ｍｍ厚の単板を積層したものを使用しており、表面には合成樹脂製の化粧シートを貼着しこのシートを通して障害釘３を植設している。尚、本発明では使用済みの遊技盤として打球の案内レール、更には入賞装置等が止着されたまゝのものも含んでいる。
【００１６】
２は前記遊技盤１を切り分けて遊技盤に植設した障害釘３の軸部３ａを露出させ植設状態を破壊する切り分け装置である。４，４は遊技盤の切り分けに当たってこの遊技盤を定位置に固定する固定手段となる一対からなる挟持部材であり、５，５は遊技盤を切り分ける切断手段となる切断刃である。また、６は上記切り分け装置２の遊技盤切断位置に使用済み遊技盤１を搬入するベルトコンベアであり、７は切断分解した遊技盤１の板部分を搬出するベルトコンベアである。
【００１７】
本発明の障害釘の抜き取り方法は、障害釘３を植設した使用済み遊技盤１を板厚を分けるように遊技盤の表面側板部１ａと裏面側板部１ｂとに切り分け、裏面側板部１ｂを切り離すことによってこれに打込まれていた障害釘３の軸部３ａを露出させ、表面側板部に残される障害釘３の保持力を減少喪失させ、これにより表面側板部に残る障害釘３の脱落を誘導して抜き落とすようにした抜き取り方法にある。
【００１８】
前記切り分け装置２は前記本発明方法を実施するための装置であって、実質的には前記遊技盤１を板厚に沿ってこれを表面側板部１ａと裏面側板部１ｂに切り分ける装置である。
前記ベルトコンベア６は装置２の切断位置に使用済み遊技盤１を送り込む手段であり、箱形に形成された固定台８の中を通してベルト６ａを水平に張架し、その上面帯域に載せる遊技盤１をベルトの運行により載置台９が待つ中央位置に送り込むことができる。
【００１９】
一方、ベルトコンベア７は前記ベルトコンベア６の延長線上に同じく箱形をなす固定台１０の中にベルト７ａを通して水平に張架され、後述するように切断分解される遊技盤１の板部を上面帯域に載せて搬出するようにしてある。
これらの両ベルトコンベア６，７は共に回転ローラ１１，１２に張架され、図示しない各一方のローラの駆動手段によって一方のベルトコンベア６は搬入方向に、また他方のベルトコンベア７は搬出方向に回転運行されるようにしてある。
【００２０】
前記ベルトコンベア６，７を通す２つの固定台８，１０は向い合せに間隔をおいて対設し、その上面に前記挟持部材４，４をガイドするチャンネル形のガイド枠１３，１３を備え、このガイド枠を案内にして２つの挟持部材４，４を接近させる前進と、離反する後退方向に摺動自由となるよう支持する。またこの挟持部材４，４の各後方には摺動操作のための油圧シリンダ１４，１４を備え、それぞれロッド１５，１５を介して挟持部材に連結し、これを前進，後退動するようにしてある。
【００２１】
尚、前記挟持部材４，４は、やゝ肉厚の板状鋼材によって形成してあり、互いに向き合う端面部４ａ，４ａは遊技盤１の上下の木口面の長さに合わせて横長に形成してある。そして、この端面部４ａには長さ方向に沿って突条形の歯１６を突設し、遊技盤１の木口面に噛み付かせることができるようにしてある。
【００２２】
一方、遊技盤を切断する切断刃５，５は向かい合わせに設けられ、前記対をなす挟持部材４，４を結ぶ直線に対して直交する直線上に位置して向かい合うようにしてある。そして、ここでは２つの切断刃５，５は昇降台１７，１７の各上面に設置して、この昇降台の上下動によって上下に移動できるようにしてある。
【００２３】
昇降台１７は、スライドし伸縮する４本の脚１８と、座１９から起立する油圧シリンダ２０のロッド２１に支持されて高さを変えられるようにしてあり、上面に備えるチャンネル形のガイド枠２２に前記切断刃５を保持する。
【００２４】
切断刃５は後方に備える油圧シリンダ２３のロッド２４に連結し、この油圧シリンダ２３の伸縮操作によって前記ガイド枠２２を案内に前進後退し、遊技盤１の木口面に切り込むことができるようにしてある。
【００２５】
この切断刃５は挟持部材４，４と同様にやゝ肉厚の板状鋼材によって形成してあり、切込みの刃が形成される一辺、つまり刃先５ａとなる先端縁は遊技盤１の側縁の長さに揃えて略同じ長さにしてある。
そして、ここに示す切断刃５は刃先５ａを上面の位置に揃えてその下方の部分を切り落とし、傾斜面５ｂを設けて片刃形に形成してあり、更にこの刃先５ａの中央部分を弧状に切り欠いて２又状に形成してある。
【００２６】
この刃先５ａを２又に形成する欠落部２５は後述するように遊技盤１を切り分けるとき、障害釘３が集中的に植設される遊技領域２６に刃先５ａの侵入を避け、障害釘の軸部３ａとの直接的衝突を回避するための手段であって、ここでは円形状に形成される遊技領域２６内に植設される障害釘３を避けるため図示するようにそれぞれ半円形状をなすように形成してある。
【００２７】
上記構成に係る切り分け装置２について次に実際の作業手順に従って詳述することにする。
図６、図７は搬入のベルトコンベア６によって遊技盤１を装置２に持ち込み、次にこの遊技盤１を固定したのち、切り分けのため切断するまでの工程を示した概略説明図である。
【００２８】
図６は、搬入のベルトコンベア６によって送り込んだ遊技盤１をその前方に待ち受ける載置台９に載置した状態を示しており、この遊技盤１を受け取るため載置台９は油圧シリンダ２０のロッド２１を操作してその上面をベルト６ａの上面帯域に揃えることになる。
上記載置台９は前述したように、２つの挟持部材４，４の中間にあり、また２つの切断刃５，５の中間である中央部に位置して、遊技盤１を受け取ったのちシリンダ２０の操作によってこれら挟持部材４，４と切断刃５，５が待つ上部へと上昇操作される。
【００２９】
図７は、この上昇操作によって切断位置へと案内された状態を示している。
載置台９が上昇位置に達したところで、ロッド２１の上昇を止め固定し、次に挟持部材４，４の油圧シリンダ１４，１４を操作して前進させ、その歯１６，１６を遊技盤１の木口面２７，２７に噛み込ませながら端面部４ａ，４ａをこれに押圧し挟持する。
【００３０】
上記挟持部材４，４に対面する遊技盤１の木口面２７，２７は並行する遊技盤の上下の縁部であって、それぞれの歯１６，１６は図３に示したようにこの木口面に噛み込み、遊技盤１をしっかり挟持し、固定することになる。
そうしたのち後退し待機させていた切断刃５，５を各油圧シリンダ２３，２３の操作でロッド２４を伸長させ遊技盤１の両側縁の木口面２８，２８に向け前進させ切り込ませる。
【００３１】
切断刃５，５の刃先５ａ，５ａの切込み位置は、図７に示したように挟持部材４，４が遊技盤１を固定する位置、更に具体的にはその歯１６，１６が噛み付く位置より下に設定してあり、刃先５ａ，５ａの侵入に伴ってこの固定位置より下の部分、つまり遊技盤１の裏面側の板部１ｂが表面側の板部１ａを残して剥がされるように切り分けられる。
【００３２】
図８及び図９は、上記の関係を示したもので、遊技盤１の上下両縁部の木口面２７，２７を挟持部材４，４で挟み固定したのち（図８）、次に左右の側縁部に向けて切断刃５，５を前進させ、その木口面２８，２８に刃先５ａ，５ａを切り込む（図９）と、両切断刃５，５は共に遊技盤１の中程まで侵入することになり、表面側と裏面側の板部１ａ，１ｂに切り分けることになる。
【００３３】
このとき、切断刃５は刃先５ａを片刃形に形成してあることから切込み侵入と共に、その傾斜面５ｂによって切り口を押し開き、裏面側板部１ｂを下に押し出すようにして切り分けを進行させることになる。
また同時に刃先５ａは２又に形成されていることから遊技盤１の上縁部と下縁部に沿った２ヶ所に侵入し、遊技領域２６内に植設される障害釘３を避けて切り込まれることになる（図９参照）。
【００３４】
この場合、遊技盤１の多くは積層合板によって形成されていることから、木口面から切断刃５が侵入すると、剥離する状態で分離し容易に切り分けが進行すると同時に、刃先に形成される傾斜面５ｂがこれを誘導するため更に容易且つ迅速に切り分けが進行することになる。
【００３５】
勿論、この様なことから、予め遊技盤には適当位置に容易に切断し、或いは剥離し易い層を介挿して前記切り分けの際この層を通して切り分けるようにすると、一層本発明の実施が容易になることは言うまでもない。
【００３６】
前記切断刃５，５による切り分けが行なわれる間、載置台９は下降し、切り分けられる遊技盤の裏面側の板部１ｂを下で待ち受け、切り分けが完了した時点でこれを受け取り、搬送コンベア６，７のレベルまで下降させ、その後搬出コンベア７に移して装置外に送り出す。
図１１，１２はこの状態を図示した物で、切り残された表面側板部１ａは挟持部材４，４によって保持した状態におかれる。
【００３７】
図４は切り分けられた表面側板部１ａを示したものである。裏面側板部１ｂの切り離しによって植設された障害釘３はその軸部３ａを露出させ、この表面側板部１ａ、延いては遊技盤１に対する保持力を減少喪失させることになる。
尚、遊技盤に対する切り分けは前述の如く一回であってもよいが、更に障害釘の保持力を喪失させるために、切り残された表面側板部１ａに対して再度の切り分けを行なってもよい。
【００３８】
切り分けの回数を複数回にすることは遊技盤の構造，強度、そして障害釘の保持力等を勘案して選択すればよく、表面側板部１ａを基準において、裏面側を徐々に切り落とし、障害釘が残る表面側板部１ａとこの障害釘３との結合関係が最も小さくなる関係を求めて行なえばよい。
【００３９】
図５は、上記複数回の切り分けによって障害釘の軸部３ａが露出したのち、更に表面側板部１ａを２つに切り分け、この２枚の板部分２９，３０に障害釘の軸部３ａが掛かった状態においてこの板部分２９，３０を異なる方向に水平移動させ、各板部分２９，３０に貫通する軸部３ａを揺るがせて打込み孔径、つまり釘孔を拡大させ、障害釘の抜け落ちを容易にする場合を示したものである。
【００４０】
図１０は、上記の操作を挟持部材４，４と切断刃５，５によって行う場合を示したものである。
前記表面側板部１ａを板部分２９，３０に切り分けたのち、上の板部分２９を挟持部材４，４で挟んだまゝにして、下の板部分３０を切断刃５，５で押し下げる際、軸部３ａから離れない状態を保ち、この状態において挟持部材４，４と切断刃５，５をそれぞれの油圧シリンダ１４と１４、２３と２３を各同調させて微伸縮作動させ、これにより９０度異なる方向に水平移動させて釘孔を拡張させるのである。
【００４１】
図１３は、表面側板部１ａと裏面側板部１ｂに分離したのち、障害釘３を残した表面側板部１ａを挟持部材４，４で引き続き保持した状態を保ち、この状態において裏面側板部１ｂを排出した載置台９を再び上昇させてその上面を表面側板部１ａの下面から突出する障害釘３の軸部３ａの先端に当接させた状態を説明したものである。
【００４２】
図１４は、上記当接によって表面側板部１ａから押し上げた障害釘３を浮き上げ、その後挟持部材４，４の挟み付けを開放して載置台９上に受け取ったのち、この載置台９を降ろして搬送コンベア６，７のレベルに揃えた状態を示している。
【００４３】
図１５は、搬出ベルトコンベア７によって切り分け装置２から前記表面側板部１ａを持ち出したのち、この板部１ａを反転装置の回転ハンド３１，３１に両側縁部を挟み付け状態に保持させて反転させ、板部１ａに残った障害釘３を落とす状態を示したものである。
この抜き落としに当たって前記釘孔を拡張させておくことが有効に作用するものとなる。またこのとき、反転後前記回転ハンド３１，３１に振動を付与すると釘の脱落が誘導され抜け落ち易くなる。
【００４４】
以上、本発明を切り分け装置の作業工程を通して説明したが、遊技盤１に植設した障害釘３を直接引き抜くことによらず、遊技盤をその厚さ方向に切り分け、この切り分けを通して障害釘３の軸部３ａを露出させ、これによって遊技盤に対する保持力（係止力）を減少させ、喪失させて抜け落ち易くすることにより遊技盤と障害釘を分離するとするものであって、１本づつを引き抜く場合に比較して遙に効率的に障害釘を取り除くことができる。
【００４５】
しかも、この分離作業に当たって個々の障害釘の植設位置や、本数に関係することなく、遊技盤に植設される全部の釘の植設状態を壊して分離し、結果的に障害釘の引き抜きと同一の効果をもたらすものとしたことから、機種の違い等に影響されることなく殆どの使用済み遊技盤に対して実施することが可能である。
【００４６】
ところで、遊技盤１を表面側と裏面側に切り分ける切断刃５，５につきその刃先５ａの中央部に欠落部２５を設けて切り込みに当たって障害釘３の植設領域への刃先の侵入を回避する構造としたことから、障害釘との衝突による刃先の損傷がなく、これによる故障を有効に回避できるものとなっている。
【００４７】
尚、上記切断に当たって木口面に突き入れた挟持部材４の歯１６と切り込み侵入する切断刃５の刃先５ａとが衝突しないように、刃先５ａの幅は挟持する歯１６，１６間の距離より狭く設定することは言うまでもない。
また、上記切断刃５には切り分けを補助するため図２に２点鎖線で示したように前記欠落部２５の中央部から刃先方向に突き出し刃３２を設けて切り分けの際に遊技盤の遊技領域２６の中心部に向けて突き入れ、切り分けを誘導するようにしてもよい。
【００４８】
【発明の効果】
以上説明のように本発明方法によれば、遊技盤を板厚方向に切り分けて表面側から植設された障害釘の軸部を露出させ、これによって障害釘の遊技盤に対する係止力，保持力を削減、喪失させて最終的に切り残される表面側板部からの脱落を図る構成としたことから、１本づつの抜き取りを要せず、全ての障害釘を一度に遊技盤から外すことができる。
従って、使用済み遊技盤を廃棄処分する場合、或いは資源回収のためリサイクル処理する場合、遊技盤素材の木板部分と障害釘の金属質とを容易に分離し、処理することができる。
【００４９】
尚、上記処理において本発明の場合、遊技盤及び障害釘を再使用のためそのまゝ回収するものではないので、遊技盤を切り分けるように分解すること、或いは障害釘が曲がる等それぞれ原形を止めないことは全く問題とならない。
【００５０】
また一方、上記方法を実施する切り分け装置によれば、挟持部材による遊技盤の固定と、この固定した遊技盤の木口面に切断刃を切り込ませることで、遊技盤を表裏２面に切り割り、表面側から植設した障害釘の軸部を露出させることができることから、この障害釘を遊技盤から外すための前処理が容易に、且つ迅速にでき、従って大量に廃棄される使用済み遊技盤の処分において有利に実施できる利点がある。
【００５１】
また本発明方法及び装置は遊技盤に植設される障害釘の位置や本数に関係なく、殆どの機種に対して等しく実施できるため実用性に優れ、また遊技盤を切断する刃については障害釘に衝突することなく切り分けることができるため損傷の危険が少なく故障等の問題を最小限に抑えることができる。
【図面の簡単な説明】
【図１】本発明に係る遊技盤の切り分け装置の概略を説明する一部欠截した斜視図。
【図２】遊技盤に対する挟持部材と切断刃の関係を説明する概略説明斜視図。
【図３】遊技盤に対する挟持部材の挟持状態を説明する部分の拡大断面図。
【図４】遊技盤の裏面側板部を切り離し、障害釘の軸部を露出させた状態にある表面側板部の部分拡大断面図。
【図５】表面側板部とこれから切り離された裏面側板部との異なる方向への移動によって障害釘を揺らして釘孔を拡張する状態を説明する拡大断面図。
【図６】切り分け装置の載置台上に搬入ベルトコンベアを介して遊技盤を送り込んだ状態を説明する概略説明図。
【図７】載置台の上昇によって挟持部材間に遊技盤を持ち込み、この両部材によって挟持し固定した状態を示す概略説明図。
【図８】図７における遊技盤と挟持部材及び切断刃の関係を説明する概略平面図。
【図９】図８から工程が進んで切断刃が遊技盤を切り分けるため切り込まれた状態を示す概略平面図。
【図１０】切り分けた遊技盤の表面側板部を挟持部材で挟持し、他方裏面側板部を切断刃で引き下げ未だ障害釘の軸部がこの裏面側板部に残った状態において挟持部材と切断刃を異なる水平方向に往復移動させることによって釘孔を拡大する工程を説明する概略平面図。
【図１１】図１０の状態を装置の使用面側から表した概略説明図。
【図１２】切り分けた裏面側板部を搬出するため載置台を搬送ベルトコンベアのレベルまで下げた状態を示す概略説明図。
【図１３】裏面側板部を搬出後載置台を表面側板部の下に臨ませた概略説明図。
【図１４】載置台上に表面側板部を受け取り、これによって障害釘を浮き上げたのち、搬出のため再び搬送ベルトコンベアのレベルまで下げた状態を示す概略説明図。
【図１５】搬出後表面側板部を反転させ、これに残された障害釘を振り落とす状態を示した概略説明図である。
【符号の説明】
１            遊技盤
１ａ          表面側板部
１ｂ          裏面側板部
２            切り分け装置
３            障害釘
３ａ          障害釘の軸部
４            固定手段たる挟持部材
５            切断手段たる切断刃
５ａ          刃先
５ｂ          刃先の傾斜面
６            搬入ベルトコンベア
７            搬出ベルトコンベア
９            載置台
１３，２２    ガイド枠
１６          挟持部材の歯
２５          刃先の欠落部
２６          遊技盤の遊技領域
２７，２８    遊技盤の木口面
【図１】
0004550310.tif 000002
【図２】
0004550310.tif 000003
【図３】
0004550310.tif 000004
【図４】
0004550310.tif 000005
【図５】
0004550310.tif 000006
【図６】
0004550310.tif 000007
【図７】
0004550310.tif 000008
【図８】
0004550310.tif 000009
【図９】
0004550310.tif 000010
【図１０】
0004550310.tif 000011
【図１１】
0004550310.tif 000012
【図１２】
0004550310.tif 000013
【図１３】
0004550310.tif 000014
【図１４】
0004550310.tif 000015
【図１５】
0004550310.tif 000016